(57)【特許請求の範囲】
【請求項１】
本体内に洗浄槽と、前記洗浄槽の前側全面に設けられる扉体とを備え、前記洗浄槽は、下部に設けられる下洗浄部と、上部に設けられる上洗浄部とに分割構成され、前記下洗浄部は、下洗浄槽と、被洗浄物を収納する下食器かごと、前記洗浄槽内の洗浄水を圧送する洗浄ポンプと、前記下食器かごの下方に設けられ前記洗浄ポンプと連通する下洗浄ノズルと、前記扉体とを備えて前後方向に移動可能に構成され、前記上洗浄部は、食器洗い機本体に固定された上洗浄槽と、前後方向に移動可能に構成され被洗浄物を収納する上食器かごと、前記上食器かごの下方に設けられ前記洗浄ポンプと連通する上洗浄ノズルと、前記上洗浄ノズルの下方で前記上洗浄槽に固定して設けられ前記上食器かごの下面を覆う第１の受板と、前記第１の受板の前端部に設けられた第１の開口部と、前記第１の受板の後端部に設けられた第２の開口部と、前記第２の開口部の上方かつ前記上食器かご下方に設けられ、前記第２の開口部全体を覆う第２の受板とを備えた食器洗い機。
【請求項２】
前記第２の開口部の外縁部に上方に延伸される土手部を設けた請求項１に記載の食器洗い機。
【請求項３】
前記第１の受板は前方に向かって下方に傾斜して設けられる請求項１もしくは２に記載の食器洗い機。
【請求項４】
前記第２の受板は前方に向かって下方に傾斜して設けられる請求項１〜３のいずれか１項に記載の食器洗い機。
【請求項５】
前記第１の受板は、左右の端部から中央部に向かって下方に傾斜するよう構成した請求項１〜４のいずれか１項に記載の食器洗い機。
【請求項６】
前記第２の受板の外縁部に下方に延伸される返し部を設けた請求項１〜５のいずれか１項に記載の食器洗い機。 
【発明の詳細な説明】
【技術分野】
【０００１】
本発明は、食器等の被洗浄物の洗浄、すすぎを行う食器洗い機に関するものである。
【背景技術】
【０００２】
従来、洗浄槽が前後に摺動する引出し式の食器洗い機１０１において、上下に複数の洗浄部を備えたものは、図１４のように水平に摺動する下洗浄部１０２と、下洗浄部１０２上方に設けられ本体に固定される上洗浄部１０３から構成される。下洗浄部１０２は、水平に摺動する下洗浄槽１０４と、被洗浄物を収納する下食器かご１０５と、下食器かご１０５下方に設けられる下洗浄ノズル１０６から構成されている。下洗浄部１０２前方には扉体１０７が設けられている。扉体１０７は下洗浄部１０２と連動して水平に摺動する。上洗浄部１０３は、被洗浄物を収納する上食器かご１０８と、上食器かご１０８の下方に設けられる上洗浄ノズル１０９と、上洗浄ノズル１０９下方に設けられ上洗浄部１０３全体を覆う受板１１０から構成されている（例えば、特許文献１参照）。
【０００３】
この構成では、扉体１０７を引き出すと下洗浄部１０２も連動して引き出されるため、少ない動作で被洗浄物の取り出しを行うことができ、使い勝手が良い。さらに、使用者は、上食器かご１０８に汚れた被洗浄物を収納した後、下食器かご１０５に被洗浄物を収納するため上食器かご１０８を食器洗い機１０１本体内に収納する。この際、上食器かご１０８内の被洗浄物に付着している汚れは、受板１１０上に落下するため洗浄槽外（例えば食器洗い機１０１本体底面）には落下しない。
【先行技術文献】
【特許文献】
【０００４】
【特許文献１】特表２００３−５００１４５号公報
【発明の概要】
【発明が解決しようとする課題】
【０００５】
しかしながら、上記特許文献１の食器洗い機は、１枚の受板１１０で上下の各洗浄部を仕切っているため、乾燥工程時に上下の洗浄槽間で風が対流しにくく、所定の乾燥性能を得るためには、送風ファンを上下各洗上部に設ける必要があるため構成が複雑になるといった課題があった。
【０００６】
本発明は、上記従来の課題を解決するもので、上食器かごおよび下食器かごの被洗浄物の乾燥性能を向上させるとともに残さいや洗浄水などが洗浄槽外に落下することを防止できる使い勝手の良い食器洗い機を提供することを目的としている。
【課題を解決するための手段】
【０００７】
前記従来の課題を解決するために、本発明の食器洗い機は、本体内に洗浄槽と、前記洗浄槽の前側全面に設けられる扉体とを備え、前記洗浄槽は、下部に設けられる下洗浄部と、上部に設けられる上洗浄部とに分割構成され、前記下洗浄部は、下洗浄槽と、被洗浄物を収納する下食器かごと、前記洗浄槽内の洗浄水を圧送する洗浄ポンプと、前記下食器かごの下方に設けられ前記洗浄ポンプと連通する下洗浄ノズルと、前記扉体とを備えて前後方向に移動可能に構成され、前記上洗浄部は、食器洗い機本体に固定された上洗浄槽と、前後方向に移動可能に構成され被洗浄物を収納する上食器かごと、前記上食器かごの下方に設けられ前記洗浄ポンプと連通する上洗浄ノズルと、前記上洗浄ノズルの下方で前記上洗浄槽に固定して設けられ前記上食器かごの下面を覆う第１の受板と、前記第１の受板の前端部に設けられた第１の開口部と、前記第１の受板の後端部に設けられた第２の開口部と、前記第２の開口部の上方かつ前記上食器かご下方に設けられ、前記第２の開口部全体を覆う第２の受板とを備えたものである。
【０００８】
この構成により、上洗浄部と下洗浄部とで風を対流させやすくすることで被洗浄物の乾燥性能を向上させるとともに、残さいや洗浄水などが洗浄槽外に落下することを防止することができる。
【発明の効果】
【０００９】
本発明の食器洗い機は、第１の受板と第１の受板の前端部に設けられ受板上の洗浄水を下洗浄部に送水する第１の開口部と、第１の受板の後端部に設けられる第２の開口部と、第２の開口部の上方かつ前記上食器かご下方に設けられ第２の開口部全体を覆う第２の受板とを備えたことにより、被洗浄物の乾燥性能を向上させると共に、上食器かごに収納された被洗浄物から落下する汚染が洗浄槽外に落下することを防止でき、衛生的な食器洗い機を提供することができる。
【図面の簡単な説明】
【００１０】
【図１】本発明の実施の形態１の食器洗い機の側断面図
【図２】同食器洗い機の下洗浄槽を引き出した際の側断面図
【図３】同食器洗い機の正面断面図
【図４】同食器洗い機の受板近傍の要部側断面図
【図５】同食器洗い機の受板近傍の要部平面図
【図６】同食器洗い機の下洗浄槽を引き出し、上食器かごを後方に摺動した際の側断面図
【図７】同食器洗い機の空気の流れを示す側断面図
【図８】同食器洗い機の受板近傍の別の例の要部正面断面図
【図９】同食器洗い機の受板近傍の別の例の要部側断面図
【図１０】同食器洗い機の受板の別の例の正面断面図
【図１１】同食器洗い機の受板の別の例の正面断面図
【図１２】同食器洗い機の分水部の側断面図
【図１３】同食器洗い機の分水部の平面図
【図１４】従来の食器洗い機の斜視図
【発明を実施するための形態】
【００１１】
第１の発明の食器洗い機は、本体内に洗浄槽と、前記洗浄槽の前側全面に設けられる扉体とを備え、前記洗浄槽は、下部に設けられる下洗浄部と、上部に設けられる上洗浄部とに分割構成され、前記下洗浄部は、下洗浄槽と、被洗浄物を収納する下食器かごと、前記洗浄槽内の洗浄水を圧送する洗浄ポンプと、前記下食器かごの下方に設けられ前記洗浄ポンプと連通する下洗浄ノズルと、前記扉体とを備えて前後方向に移動可能に構成され、前記上洗浄部は、食器洗い機本体に固定された上洗浄槽と、前後方向に移動可能に構成され被洗浄物を収納する上食器かごと、前記上食器かごの下方に設けられ前記洗浄ポンプと連通する上洗浄ノズルと、前記上洗浄ノズルの下方で前記上洗浄槽に固定して設けられ前記上食器かごの下面を覆う第１の受板と、前記第１の受板の前端部に設けられた第１の開口部と、前記第１の受板の後端部に設けられた第２の開口部と、前記第２の開口部の上方かつ前記上食器かご下方に設けられ、前記第２の開口部全体を覆う第２の受板とを備えたものである。
【００１２】
この構成によって、第１の受板の前端部と後端部とに開口部を設けることで、上洗浄部と下洗浄部とで風を対流させやすくなり、被洗浄物の乾燥性能を向上させることができる。また、食器洗い機本体内に収納された上食器かごに収納された被洗浄物から落下した残さいや洗浄水は、第１の受板および第２の受板で受けられるため、残さいなどが洗浄槽外に落下することを防止し、簡易な構成で衛生的な食器洗い機を提供することができる。
【００１３】
第２の発明は、第１の発明において、前記第２の開口部の外縁部に上方に延伸される土手部を設けたことで、残さいなどが第２の開口部から下方に落下することを防ぎ、より衛生的な食器洗い機を提供する事ができる。
【００１４】
第３の発明は、第１または第２の発明において、前記第１の受板は、前方に向かって下向きに傾斜する構成にしたことにより、食器洗い機の運転中に上洗浄ノズルから噴射され、第１の受板上に滴下した洗浄水は素早く第１の開口部から下洗浄部に流すことができる。そのため、少ない給水量でも所定の洗浄性能を得る食器洗い機を提供できる。
【００１５】
第４の発明は、第１〜３の発明において、前記第２の受板は前方に向かって下方に傾斜して設けたことにより、食器洗い機の運転中に上洗浄ノズルから噴射され、第２の受板上に滴下した洗浄水は素早く第１の開口部から下洗浄部に流すことができる。そのため、少ない給水量でも所定の洗浄性能を得る食器洗い機を提供できる。
【００１６】
第５の発明は、第１〜４の発明において、前記第１の受板は、左右の端部から中央部に向かって下方に傾斜するよう構成したことにより、受板上に滴下した汚れや洗浄水を中央部に回収してから下洗浄槽に流すため、汚れ流す力を強くすることができるため、受板状への汚れの残りを防ぐことのできる使い勝手の良い食器洗い機を提供することができる。
【００１７】
第６の発明は、第１〜５の発明において、前記第２の受板の外縁部に下方に延伸される返し部を設けたことにより、第２の受板上に滴下した洗浄水を確実に第１の受板上に落下させ、上食器かごに収納された被洗浄物から落下した残さいや洗浄水が、第２の開口部から洗浄槽外に落下することを防ぐことができる。
【００１８】
以下、本発明の実施の形態について、図面を参照しながら説明する。なお、本実施の形態によって本発明が限定されるものではない。
【００１９】
（実施の形態１）
この食器洗い機は、図１に示すように、キッチンキャビネットＡ内にビルトインするのが基本的な設置形態である。
【００２０】
図１〜図３に示すように、食器洗い機本体１（固定側箱状体）内に、洗浄槽２が収納されている。洗浄槽２の前側全面には、閉じた時には洗浄槽２を水封する扉体３が設けられている。洗浄槽２は、下部に設けられる下洗浄部４と、上部に設けられる上洗浄部５とに分割構成されている。
【００２１】
下洗浄部４は、前後方向に摺動可能に設けられ、上方に開口部を有する下洗浄槽６や、被洗浄物７を収納する下食器かご８、被洗浄物７を洗浄するための下洗浄ノズル９が設けられている。
【００２２】
上洗浄部５には、食器洗い機本体１に固定されている上洗浄槽１０や、食器などの被洗浄物７を収納する上食器かご１１、被洗浄物７を洗浄するための上洗浄ノズル１２が設けられている。さらに、上洗浄ノズル１２の下方には上食器かご１１の下面全体を覆う第１の受板１３が設けられ、上洗浄かご１１の下方かつ第１の受板１３の上方には第２の受板１３ａが設けられている。第１の受板１３および第２の受板１３ａは上洗浄槽１０に固定されている。
【００２３】
下洗浄槽６は、食器洗い機本体１の左右両内側面に取り付けられた固定レール１４と、固定レール１４にそれぞれ滑動自在に装着された可動レール１５とから構成されるスライドレール１６により前後方向に移動可能で、食器洗い機本体１の前方開口部から引き出す
ことができる。扉体３は下洗浄槽６の前面に固定して設けられ、下洗浄部４と連動して前後方向に移動する。
【００２４】
洗浄手段としての下洗浄ノズル９は、下洗浄槽６底面の略中央部に回転自在に設けられ、洗浄水の噴射の反力により回転する。下洗浄ノズル９には、洗浄水を噴射するための噴射孔９ａが上面に設けられている。
【００２５】
下食器かご８は下洗浄ノズル９上方に設けられ、被洗浄物７を収納するものである。下食器かご８には、標準状態では大皿類やまな板、なべといった大型の食器や調理器具が収納できるよう構成されている。また、下洗浄槽６の内底面の前面側最下部には凹形状の排水口１７が設けられている。
【００２６】
下洗浄槽６の底面外側に配置された洗浄ポンプ１８は、洗浄水を加圧する。循環経路１９は、排水口１７から洗浄ポンプ１８に洗浄水を供給するための経路である。分水部２０は、洗浄ポンプ１８から送水された洗浄水を２経路に分水し、上洗浄ノズル１２と下洗浄ノズル９とに送水する。分水部２０は、下洗浄ノズル９に送水するための第１導水路２１と上洗浄ノズル１２に送水するための第２導水路２２とに接続している。
【００２７】
フィルタ２３は排水口１７上方もしくは内部に設けられており、被洗浄物７を洗浄する洗浄工程および被洗浄物７をすすぐすすぎ工程で、被洗浄物７に汚れとして付着していた食品等の残さい２４を捕集する。下洗浄槽６内部には洗浄水を加熱する、例えばシーズヒータなどの加熱手段２５が設けられている。
【００２８】
上洗浄槽１０は、下洗浄槽６が食器洗い機本体１内に収納されている際に、下洗浄槽６を上方から覆うように形成され、前方が開口している。上洗浄槽１０は側面に設けられた複数の固定部２６によって、食器洗い機本体１に固定されている。上洗浄槽１０壁面の下端には下洗浄槽６と上洗浄槽１０とをシールし、食器洗い機運転中に洗浄水が洗浄槽２外へ水漏れすることを防止するパッキン２７が設けられている。パッキン２７は、下洗浄槽６を食器洗い機本体１に収納した際に押しつぶされ、下洗浄槽６と上洗浄槽１０とを水封して洗浄槽２を構成する。なお、パッキン２７の位置を低くして、下洗浄槽６の側壁を低くした方が下洗浄槽６への被洗浄物７の出し入れがしやすいため、上洗浄槽１０は下洗浄部４まで覆っている。
【００２９】
上食器かご１１は、上洗浄槽１０内に設けられ、被洗浄物７を収納する。上食器かご１１は、上食器かごレール３０により前後方向に移動可能で、上洗浄槽１０の前方開口部から食器洗い機本体１の前方へ引き出すことができるように構成されている。上食器かごレール３０は、上洗浄槽１０の左右両内側面に取り付けられた固定ローラ２８と、固定ローラ２８にそれぞれ滑動自在に装着された上食器かご可動レール２９とから構成される。
【００３０】
上食器かご１１の左右両側面には、上食器かご可動レール２９が固定される高さ調整部（図示せず）が設けられ、高さ調整部の上食器かごへの懸架位置を変更することで、上食器かご１１の高さを調整することができる。上食器かご１１は平面視で上洗浄部５のほぼ全体に設けられ、多くの被洗浄物７を収納することができ、使い勝手が良くなるようにしている。この上食器かご１１には、標準状態では例えば茶碗や直径２０ｃｍ以下の中皿類などの小型食器が収納できるように構成されている。
【００３１】
上洗浄ノズル１２は、上食器かご１１の中央部下方に設けられ、洗浄水の噴射の反力により回転する。上洗浄ノズル１２にも下洗浄ノズル９と同様に洗浄水を噴射するための噴射孔１２ａが上面に設けられている。略水平前後方向に設けた上部導水路３１は上洗浄ノズル１２に洗浄水を送水するためのもので、第２導水路２２と上洗浄ノズル１２とを接続
する。上部導水路３１は、上食器かご１１に固定して設けられている。上部導水路３１は、上洗浄ノズル１２の上面略中央部で下方に屈曲し、上洗浄ノズル１２の下面に設けられた軸部１２ｂと接続する。軸部側の上部導水路３１端部は、軸部１２ｂより径大になるよう構成されており、上洗浄ノズル１２は軸部１２ｂを中心に回転自在である。
【００３２】
第２導水路２２と上部導水路３１との連結部３１ａは複数設けられ、上食器かご１１の高さ調整に伴い高さが変化した上部導水路３１と連結する。これにより、上食器かご１１の位置に関わらず、上洗浄ノズル１２に洗浄水を送水することができる。なお、上部導水路３１は、下洗浄槽６とともに上洗浄槽１０を引き出した際に外れ、上洗浄槽１０を食器洗い機本体１内に収納した際に第２導水路２２と嵌合するように構成されている。
【００３３】
扉体３内壁の上部には、鍵形状の上食器かご連動部３２が設けられ、上食器かご１１の一部が係合され、下洗浄槽６と上食器かご１１とが連動して摺動可能に構成している。上食器かご連動部３２は下洗浄槽６の内壁を構成する扉体３の上部に構成されている。また、切替手段（図示せず）が上食器かご連動部３２近傍に設けられ、上食器かご１１と下洗浄槽６および扉体３との連動と非連動とを切り替えることができる。上食器かご連動部３２は、例えば可倒式になっており、図２に示すように上食器かご連動部３２を扉体３に対して直立させている場合には、上食器かご１１は下洗浄槽６の動作に連動し、上食器かご連動部３２を倒している場合には、上食器かご１１は下洗浄槽６の動作に連動しない。
【００３４】
洗浄槽２内の洗浄水は給水弁３３から上洗浄槽１０に給水され、排水手段３４により食器洗い機本体１外に排水される。
【００３５】
下洗浄槽６背面に設けられた送風手段３５は、食器洗い機の乾燥工程などで動作して、外気を吸い込み、送風経路３６を経て送風口４０から洗浄槽２内に供給し、洗浄槽２の天面または側壁に設けられた排気口３７より排気することで、洗浄槽２内の被洗浄物７を乾燥させる。
【００３６】
温度検知手段３８は、洗浄槽２の底面外側に密着して配設され、洗浄槽２内の洗浄水、空気および加熱手段２５の温度を間接的に検知するものである。
【００３７】
制御手段３９（制御装置）は、給水弁３３が洗浄槽２内に洗浄水を供給するのを制御したり、温度検知手段３８の出力に基づいて加熱手段２５を制御したりするとともに、洗浄ポンプ１８、給水弁３３、排水手段３４、送風手段３５等を制御して、洗浄、すすぎ、乾燥の一連の工程を逐次制御するよう構成している。
【００３８】
上記構成において動作、作用を説明すると、使用者が食器洗い機本体１から扉体３を引き出すと、連動して下洗浄槽６が引き出される。さらに、扉体３の内壁面に取り付けられた上食器かご連動部３２に係合された上食器かご１１も同時に引出される。使用者は、被洗浄物７を上食器かご１１に、続いて下食器かご８に収納し、洗剤を下洗浄槽６に投入した後、下洗浄槽６を後方に摺動させ食器洗い機本体１内に収納する。被洗浄物７を下食器かご８に収納する際、上食器かご１１の上食器かご連動部３２との係合を解除して行った場合は、食器洗い機本体１内への収納動作によって上食器かご１１の前方部は再度上食器かご連動部３２に係合され、再度扉体３を引き出す際には上食器かご１１が連動して引き出される。
【００３９】
運転を開始すると、まず排水手段３４が動作して、前回の運転等で下洗浄槽６内に残っている洗浄水の残水を食器洗い機本体１外へ排出する。次に、給水弁３３が動作して、所定量の水道水が洗浄水として洗浄槽２に供給される。所定量の洗浄水が供給されると、排水口１７から洗剤とともに循環経路１９内に設けられた洗浄ポンプ１８にも洗浄水が流れ
込み、洗浄ポンプ１８による加圧が開始され、洗浄水が分水部２０で第１導水路２１と第２導水路２２とに分水される。
【００４０】
分水部２０から、第１導水路２１に送水された洗浄水は、下洗浄ノズル９に送られる。第２導水路２２に送水された洗浄水は、上部導水路３１を経て上洗浄ノズル１２に送られる。それぞれの洗浄ノズルに送水された洗浄水は、上洗浄ノズル１２および下洗浄ノズル９に設けた噴射孔１２ａおよび９ａから噴射される。
【００４１】
下洗浄ノズル９および上洗浄ノズル１２から噴射されて被洗浄物７を洗浄した洗浄水は、排水口１７に回収され、循環経路１９を介して洗浄ポンプ１８に再び送水される。こうして洗浄工程が行われる。この洗浄工程では下洗浄槽６内に設けた加熱手段２５に通電して、洗浄水を循環しながら所定温度まで加熱する。
【００４２】
洗浄工程が所定時間行われると、排水手段３４が被洗浄物７から洗い落とされた汚れを含む洗浄水を食器洗い機本体１外へ排出する。そして、新たに給水弁３３が洗浄水を供給し、上洗浄ノズル１２および下洗浄ノズル９に設けた噴射孔１２ａおよび９ａから再び洗浄水が噴射されて、洗剤や残さい２４等で汚れた被洗浄物７をすすぐ、すすぎ工程を実行する。
【００４３】
このすすぎ工程が終わると、洗浄水を再び食器洗い機本体１外へ排出する。このすすぎ工程は連続して複数回繰り返される。そして、複数回行われるすすぎ工程の最後に、加熱手段２５により洗浄水を所定温度（例えば６０℃）まで加熱してすすぐ加熱すすぎ工程を行う。なお、洗浄およびすすぎ工程において、大きな残さい２４は下洗浄槽６に設けたフィルタ２３内に捕集される。
【００４４】
加熱すすぎ工程が終了すると乾燥工程が開始される。この工程では、送風手段３５が動作し、外気が送風経路３６を介して送風口４０から下洗浄槽６内へ送り込まれる。下洗浄槽６内に送り込まれた空気は、送風口４０の下流方向の近傍に設けられた加熱手段２５により加熱された後、被洗浄物７を乾燥させて排気口３７より食器洗い機本体１の外に排気される。乾燥工程終了後、食器洗い機の運転を終了する。
【００４５】
このように構成された本実施の形態において、第１の受板１３および第２の受板１３ａ近傍の構成を以下に詳述する。
【００４６】
図４、図５に示すように、第１の受板１３は、上食器かご１１の下方に水平の板状に構成され、上洗浄槽１０の側面および背面に固定されている。また、第１の受板１３の前端部は、上洗浄槽１０の前端部より後方に設けられ、下洗浄槽６収納時に、扉体３の内壁面と第１の受板１３との間に第１の開口部４２ができるように構成される。この第１の開口部４２は、第１の受板１３上の洗浄水を下洗浄部４（下洗浄槽６）に落下させて送水するもので、上食器かご１１に収納した被洗浄物７に付着した残さい２４も同時に落下できるように、２０ｍｍ程度設けることが望ましい。
【００４７】
さらに、第１の受板１３の後端部には略長方形状の第２の開口部４３が設けられ、第２の開口部４３の上方、かつ上食器かご１１より下方には、第２の開口部４３を覆うように第２の受板１３ａが設けられている。第２の受板１３ａの後端部は上洗浄槽１０の後部壁に固定されている。図５に示すように、第２の受板１３ａは、上洗浄ノズル１２と干渉しない位置および形状で構成される。
【００４８】
上記第１の受板１３、第２の受板１３ａおよび上洗浄ノズル１２近傍の構成について、その動作、作用を以下に詳述する。
【００４９】
前述したように、使用者が被洗浄物７を収納する際、まず、食器洗い機本体１から扉体３を引き出す。この際、図２のように連動して下洗浄槽６が引き出される。さらに、扉体３の内壁面に取り付けられた上食器かご連動部３２に係合された上食器かご１１も同時に引き出される。
【００５０】
使用者は、まず上食器かご１１に小型の被洗浄物７を配置する。続いて大型の食器などの残りの被洗浄物７を下食器かご８に収納するため、上食器かご１１を後方に摺動させる。具体的には、上食器かご１１の前方部を上方に持ち上げ後方にずらすことで上食器かご連動部３２との係合を解除し、上食器かご連動部３２から上食器かご１１を外す。上食器かご連動部３２から外された上食器かご１１を後方に摺動させ、図６に示すように上洗浄槽１０内に収納する。
【００５１】
この際、上食器かご１１に収納された被洗浄物７に付着した液体や固形物など残さい２４の一部は、食器などの下側縁部から下方に落下する。落下した残さい２４は、第１の受板１３もしくは、第２の受板１３ａ上に落下する。図４に示すように、第２の開口部４３を覆うように第２の受板１３ａが設けられているため、第２の受板１３ａに残さい２４が落下して流れても、第１の受板１３上に落下するため第２の開口部４３から下方への残さい２４の落下を防ぐことができる。なお、第１の受板１３が無いと、残さい２４が食器洗い機本体１底面に落下することがあるため、臭いの原因や食器洗い機本体１の腐食の原因となってしまう。
【００５２】
第１の受板１３および第２の受板１３ａに落下した残さい２４は、運転開始後、洗浄水の流れによって、第１の受板１３前方の第１の開口部４２から下洗浄槽６内に落下し、フィルタ２３に回収される。
【００５３】
さらに、食器洗い機の運転中にしばしば使用者が食器洗い機の内部に収納した被洗浄物７を取り出したり、被洗浄物７を追加したりすることがある。その際、食器洗い機を一時停止させ、扉体３の把持部（図示せず）を把持し、扉体３を前方に摺動する。食器洗い機を一時停止させると同時に洗浄ポンプ１８への電流が遮断され、洗浄ポンプ１８は運転を停止する。しかし、洗浄ポンプ１８は電流が遮断されても、モータの慣性のために所定時間動作するため、その間もノズルから洗浄水が噴射し続ける。食器洗い機を停止直後に下洗浄槽６を引き出すと、上洗浄ノズル１２から洗浄水がまだ噴射されている。しかし、本実施の形態によれば、第１の受板１３および第２の受板１３ａを設けているため、噴射された洗浄水は、第１の受板１３上もしくは第２の受板１３ａ上に落下し、第１の開口部４２から下洗浄槽６に流れるため、食器洗い機本体１底面に洗浄水が滴下することを防ぐことができる。
【００５４】
また、図７に示すように、乾燥工程においては送風手段３５が動作して外気が送風経路３６を介して送風口４０から下洗浄槽６内へ送り込まれる。下洗浄槽６内に送り込まれた空気は送風口４０の下流方向近傍に設けられた加熱手段２５により加熱された後、下洗浄槽６内の被洗浄物７を乾燥させ、第１の開口部４２および第２の開口部４３を通過し、上洗浄部５に送風される。第１の開口部４２を通過した温風は図７に示すように上洗浄部５内の被洗浄物７を乾燥させ、扉体３に設けられた排気口３７より食器洗い機本体１の外に排気される。第２の開口部４３を通過した温風は、上洗浄部５内の被洗浄物７を乾燥させ、排気口３７より食器洗い機本体１の外に排気される。第１の開口部４２および第２の開口部４３と複数の通気口を設けることで、上洗浄槽１０内で温風が攪拌されるため、第１の開口部４２しか設けない場合よりも被洗浄物７との熱交換が促進され、乾燥性能が向上する。
【００５５】
また、排気口３７は湿度の高い排気をシステムキッチン内部に排気しないように通常は前面に設けられるため、第２の開口部４３を設けない場合、第１の開口部４２を通過した温風は、上洗浄槽１０内の特に後方の被洗浄物７を乾燥させること無く排気される可能性が高い。本実施の形態では、第２の開口部４３と排気口３７との間に上食器かご１１が設けられているため、排気口が前方に設けられても被洗浄物７を安定して乾燥させることができる。
【００５６】
なお、図８に示すように、第２の開口部４３の外縁部には、上方に延伸される凸形状の土手部４４が設けられ、第２の受板１３ａの外縁部には下方に延伸される凸形状の返し部４５が設けられていることが望ましい。この際、土手部４４は返し部４５より平面視で内側に配設される。
【００５７】
このように構成することにより、洗浄水や液体状の残さい２４が第２の受板の下面に回り込んで、第２の開口部４３から食器洗い機本体１底面に洗浄水が滴下することを防ぎ、より衛生的な食器洗い機を提供できる。すなわち、返し部４５は、洗浄水や液体状の残さい２４が第２の受板１３ａの下面に回り込むことを防ぎ、土手部４４は、もし洗浄水が回り込んできても第２の開口部４３から食器洗い機本体１底面に洗浄水が滴下することを防ぐことができる。この返し部４５は、土手部４４の外側にオーバーラップさせて設けることで、より大きい効果が得られる。
【００５８】
また、本実施の形態では第１の受板１３および第２の受板１３ａは水平に設けられているが、図９に示す別の例のように、第１の受板１３および第２の受板１３ａが第１の開口部４２に向かって下方に傾斜していることが好ましい。この場合、上食器かご１１に収納した被洗浄物７から第１の受板１３および第２の受板１３ａに落下した残さい２４は、第１の受板１３の傾斜１３ｃおよび第２の受板１３ａの傾斜１３ｄに沿って第１の開口部４２に集まる。
【００５９】
第１の受板１３を前方に向かって下方に傾斜させたことにより、第１の受板１３に土手部４４を設けなくとも第１の受板１３から食器洗い機本体１底面に洗浄水が滴下することを防ぎ、より衛生的な食器洗い機を提供できる。同様に、第２の受板１３ａを前方に向かって下方に傾斜させたことにより、第２の受板１３ａに返し部４５を設けなくとも第２の受板１３ａから食器洗い機本体１底面に洗浄水が滴下することを防ぎ、より衛生的な食器洗い機を提供できる。
【００６０】
また、食器洗い機運転中の洗浄水は第１の受板１３の傾斜１３ｃに沿って高さの低い前端部に集まり、第１の開口部４２から下洗浄部４に流れるため、汚染を流す力が強まり、第１の受板１３上に汚染が残ることを防止することができる。さらに、第１の受板１３および第２の受板１３ａが前方に向かって下方に傾斜していることで、第１の受板１３および第２の受板１３ａ上に落下した洗浄水は最短距離で第１の開口部４２に流れ込む。洗浄水の流れる経路が短くなるため、洗浄水が噴射されてから排水口１７へ回収されるまでの速度が速くなり、少ない洗浄水量でも食器洗い機を運転することができる。
【００６１】
また、図１０に示すように、第１の受板１３上面の左右端部は、第１の受板１３上に滴下した洗浄水を第１の受板１３の中央部に回収するガイド４６が設けていることが望ましい。ガイド４６を設けることにより端部近傍を流れている洗浄水が、上洗浄槽１０の内壁面に流れ、洗浄槽２外に滴下することを防ぐ。
【００６２】
また、第１の受板１３は、図１１に示す別の例のように、左右の両端部から中央部に向かって下方に傾斜していていることが望ましい。この場合は、食器洗い機運転中の洗浄水は第１の受板１３の傾斜１３ｅに沿って高さの低い中央部に集まり、第１の開口部４２か
ら下洗浄部４に流れるため、汚染を流す力が強まり、第１の受板１３上に汚染が残ることを防止することができる。
【００６３】
また、図１２および図１３に示すように、分水部２０は、洗浄ポンプ１８から吐出された洗浄水を下洗浄ノズル９と上洗浄ノズル１２とに流れる水量を変化させるための構成をしていることが望ましい。具体的には、分水部２０内部に第１導水路２１と第２導水路２２とに流れる洗浄水量割合を変化させるためのセパレータ４７が配設されている。セパレータ４７は、出水口４７ａ近傍に隣接して設けられた円盤状の樹脂成形部品で、複数の開孔部４７ｂを有する。セパレータ４７は、略中央部が分水モータ４８と接続され、回転自在である。セパレータ４７の停止位置によって第１導水路２１と第２導水路２２とに流れる洗浄水量割合が変化し、どちらか一方のみに洗浄水を送ることも可能である。なお、セパレータ４７の位置は、位置センサ（図示せず）によって判断することができる。
【００６４】
この構成を設けた場合、使用者は、操作部に設けられたコース設定ボタンを押し、運転コースを指定できる。ここでは、上食器かご１１のみを洗浄する上食器かご洗浄コース、下食器かご８のみの下食器かご洗浄コース、上下ともに洗浄する上下かご洗浄コースなどのコースが設けられている。
【００６５】
運転コースを指定し、食器洗い機の運転を開始すると、排水手段３４が所定時間動作した後、給水弁３３が動作して所定量の洗浄水を下洗浄槽６に供給する。所定量の洗浄水が供給されると、設定されたコースに基づき、分水部２０に設けられた分水モータ４８が動作し、セパレータ４７が回転する。上食器かご洗浄コースが指定されている場合には、セパレータ４７の開孔部４７ｂと第２導水路２２への出水口４７ａとが一致し、第１導水路２１を塞ぐ位置でセパレータ４７は停止する。同様に、下食器かご洗浄コースの場合は、第１導水路２１にのみ洗浄水を供給する位置でセパレータ４７は停止する。上下かご洗浄コースの場合は、第１導水路２１および第２導水路２２に洗浄水を供給できるようセパレータ４７を回転した後、その位置で停止させる。
【００６６】
これにより、被洗浄物７の量に応じて必要最低限の場所のみ洗浄水を供給し洗浄することができるため、消費電力量や使用水量といったランニングコストの削減を実現できる。
【産業上の利用可能性】
【００６７】
本発明の食器洗い機は、食器等の被洗浄物の乾燥性能を向上させることができるとともに、上食器かごに収納された被洗浄物から落下する汚染が洗浄槽外に滴下することを防止できるため、衛生的な食器洗い機等として有用である。
【符号の説明】
【００６８】
１  食器洗い機本体
２  洗浄槽
３  扉体
４  下洗浄部
５  上洗浄部
６  下洗浄槽
８  下食器かご
９  下洗浄ノズル
１０  上洗浄槽
１１  上食器かご
１２  上洗浄ノズル
１３  第１の受板
１３ａ  第２の受板
１８  洗浄ポンプ
４２  第１の開口部
４３  第２の開口部
４４  土手部
４５  返し部
【図１】
0005857201.tif 000002
【図２】
0005857201.tif 000003
【図３】
0005857201.tif 000004
【図４】
0005857201.tif 000005
【図５】
0005857201.tif 000006
【図６】
0005857201.tif 000007
【図７】
0005857201.tif 000008
【図８】
0005857201.tif 000009
【図９】
0005857201.tif 000010
【図１０】
0005857201.tif 000011
【図１１】
0005857201.tif 000012
【図１４】
0005857201.tif 000013
【図１２】
0005857201.tif 000014
【図１３】
0005857201.tif 000015